(57)【要約】【課題】  複数の通信方式が使用されるシステムにおいて、スループット、通信効率などの通信性能を改善すること。【解決手段】  送信ビットから生成された送信信号を送信する送信部を備え、前記送信部は、符号化及びレートマッチングにより前記送信ビットを生成する符号化部を備え、前記符号化部は、第１の符号化部、第１のインターリーブ部及び第１のビット選択部、及び、第２の符号化部、第２のインターリーブ部及び第２のビット選択部、を備え、前記第１のビット選択部と前記第２のビット選択部は、同じリダンダンシーバージョンによる初期位置が異なる。【選択図】図２
2019165269.tif 000002
【特許請求の範囲】
【請求項１】
送信ビットから生成された送信信号を送信する送信部を備え、
前記送信部は、符号化及びレートマッチングにより前記送信ビットを生成する符号化部を備え、
前記符号化部は、第１の符号化部、第１のインターリーブ部及び第１のビット選択部、及び、第２の符号化部、第２のインターリーブ部及び第２のビット選択部、を備え、
前記第１の符号化部は第１の符号化方式で所定の符号化率で符号化し、前記第１のインターリーブ部は前記第１の符号化部の出力ビットを並び替え、前記第１のビット選択部は前記第１のインターリーブ部の出力ビットからリダンダンシーバージョンに基づいて決まる初期位置から所定のビット数を選択して前記送信ビットを生成し、
前記第２の符号化部は第２の符号化方式で所定の符号化率で符号化し、前記第２のインターリーブ部は前記第２の符号化部の出力ビットを並び替え、前記第２のビット選択部は前記第２のインターリーブ部の出力ビットからリダンダンシーバージョンに基づいて決まる初期位置から所定のビット数を選択して前記送信ビットを生成し、
前記第１のビット選択部と前記第２のビット選択部は、同じリダンダンシーバージョンによる前記初期位置が異なる、
基地局装置。
【請求項２】
前記第１の符号化方式の前記所定の符号化率は１つで、前記第２の符号化方式の前記所定の符号化率は複数である、
請求項１に記載の基地局装置。
【請求項３】
前記第１のビット選択部が用いる前記リダンダンシーバージョンの数と前記第２のビット選択部が用いる前記リダンダンシーバージョンの数は異なる、
請求項１又は２のいずれかに記載の基地局装置。
【請求項４】
前記符号化部は、トランスポートブロックサイズ又は変調符号化方式（ＭＣＳ）によって前記第１の符号化方式で符号化するか、前記第２の符号化方式で符号化するかを判断する、
請求項１から３のいずれかに記載の基地局装置。
【請求項５】
送信ビットから生成された送信信号を送信する送信部を備え、
前記送信部は、符号化及びレートマッチングにより前記送信ビットを生成する符号化部を備え、
前記符号化部は、第１の符号化部、第１のインターリーブ部及び第１のビット選択部、及び、第２の符号化部、第２のインターリーブ部及び第２のビット選択部、を備え、
前記第１の符号化部は第１の符号化方式で所定の符号化率で符号化し、前記第１のインターリーブ部は前記第１の符号化部の出力ビットを並び替え、前記第１のビット選択部は前記第１のインターリーブ部の出力ビットからリダンダンシーバージョンに基づいて決まる初期位置から所定のビット数を選択して前記送信ビットを生成し、
前記第２の符号化部は第２の符号化方式で所定の符号化率で符号化し、前記第２のインターリーブ部は前記第２の符号化部の出力ビットを並び替え、前記第２のビット選択部は前記第２のインターリーブ部の出力ビットからリダンダンシーバージョンに基づいて決まる初期位置から所定のビット数を選択して前記送信ビットを生成し、
前記第１のビット選択部と前記第２のビット選択部は、同じリダンダンシーバージョンによる前記初期位置が異なる、
端末装置。
【請求項６】
前記第１の符号化方式の前記所定の符号化率は１つで、前記第２の符号化方式の前記所
定の符号化率は複数である、
請求項１に記載の端末装置。
【請求項７】
前記第１のビット選択部が用いる前記リダンダンシーバージョンの数と前記第２のビット選択部が用いる前記リダンダンシーバージョンの数は異なる、
請求項１又は２のいずれかに記載の端末装置。
【請求項８】
前記符号化部は、トランスポートブロックサイズ又は変調符号化方式（ＭＣＳ）によって前記第１の符号化方式で符号化するか、前記第２の符号化方式で符号化するかを判断する、
請求項５から８のいずれかに記載の端末装置。
【請求項９】
送信ビットから生成された送信信号を送信する送信ステップを備え、
前記送信ステップは、符号化及びレートマッチングにより前記送信ビットを生成する符号化ステップを備え、
前記符号化ステップは、第１の符号化ステップ、第１のインターリーブステップ及び第１のビット選択ステップ、及び、第２の符号化ステップ、第２のインターリーブステップ及び第２のビット選択ステップ、を備え、
前記第１の符号化ステップは第１の符号化方式で所定の符号化率で符号化し、前記第１のインターリーブステップは前記第１の符号化ステップの出力ビットを並び替え、前記第１のビット選択ステップは前記第１のインターリーブステップの出力ビットからリダンダンシーバージョンに基づいて決まる初期位置から所定のビット数を選択して前記送信ビットを生成し、
前記第２の符号化ステップは第２の符号化方式で所定の符号化率で符号化し、前記第２のインターリーブステップは前記第２の符号化部の出力ビットを並び替え、前記第２のビット選択ステップは前記第２のインターリーブステップの出力ビットからリダンダンシーバージョンに基づいて決まる初期位置から所定のビット数を選択して前記送信ビットを生成し、
前記第１のビット選択ステップと前記第２のビット選択ステップは、同じリダンダンシーバージョンによる前記初期位置が異なる、
通信方法。
【発明の詳細な説明】
【技術分野】
【０００１】
本発明は、基地局装置、端末装置および通信方法に関する。
【背景技術】
【０００２】
３ＧＰＰ（Third Generation Partnership Project）によって仕様策定されたＬＴＥ（Long Term Evolution）、ＬＴＥ−Ａ（LTE-Advanced）のような通信システムでは、基地
局装置（基地局、送信局、送信点、下りリンク送信装置、上りリンク受信装置、送信アンテナ群、送信アンテナポート群、コンポーネントキャリア、ｅＮｏｄｅＢ、アクセスポイント、ＡＰ）或いは基地局装置に準じる送信局がカバーするエリアをセル（Cell）状に複数配置するセルラ構成とすることにより、通信エリアを拡大することができる。基地局装置には、端末装置（受信局、受信点、下りリンク受信装置、上りリンク送信装置、受信アンテナ群、受信アンテナポート群、ＵＥ、ステーション、ＳＴＡ）が接続する。このセルラ構成において、隣接するセルまたはセクタ間で同一周波数を利用することで、周波数利用効率を向上させることができる。
【０００３】
また、２０２０年頃の商業サービス開始を目指し、第５世代移動無線通信システム（5Gシステム）に関する研究・開発活動が盛んに行なわれている。最近、国際標準化機関である国際電気通信連合  無線通信部門（International Telecommunication Union Radio communications Sector：ＩＴＵ−Ｒ）より、５Ｇシステムの標準方式（International mobile telecommunication - 2020 and beyond：IMT-2020）に関するビジョン勧告が報告さ
れた（非特許文献１参照）。
【０００４】
５Ｇシステムでは、３つの大きなユースシナリオ（Enhanced mobile broadband(EMBB)
、Enhanced Massive machine type communication(eMTC)、Ultra-reliable and low latency communication(URLLC)）に代表される様々な要求条件を満たすために、様々な周波数バンドを組み合わせて、無線アクセスネットワークを運用することが想定されている。
【先行技術文献】
【非特許文献】
【０００５】
【非特許文献１】“IMT Vision - Framework and overall objectives of the future development of IMT for 2020 and beyond,” Recommendation ITU-R M.2083-0, Sept. 2015.
【発明の概要】
【発明が解決しようとする課題】
【０００６】
しかしながら、５Ｇシステムにおける３つの大きなユースシナリオには、それぞれ適した通信パラメータ、変調方式、誤り訂正符号化方式などの通信方式があることが想定される。５Ｇシステムは、３つの大きなユースシナリオに適した通信を維持したまま、これらを統合するシステムである必要がある。
【０００７】
本発明はこのような事情を鑑みてなされたものであり、その目的は、複数の通信方式が使用されるシステムにおいて、スループット、通信効率などの通信性能を改善することが可能な基地局装置、端末装置及び通信方法を提供することにある。
【課題を解決するための手段】
【０００８】
上述した課題を解決するために本発明に係る基地局装置、端末装置および通信方法の構成は、次の通りである。
【０００９】
本発明に係る基地局装置は、送信ビットから生成された送信信号を送信する送信部を備え、前記送信部は、符号化及びレートマッチングにより前記送信ビットを生成する符号化部を備え、前記符号化部は、第１の符号化部、第１のインターリーブ部及び第１のビット選択部、及び、第２の符号化部、第２のインターリーブ部及び第２のビット選択部、を備え、前記第１の符号化部は第１の符号化方式で所定の符号化率で符号化し、前記第１のインターリーブ部は前記第１の符号化部の出力ビットを並び替え、前記第１のビット選択部は前記第１のインターリーブ部の出力ビットからリダンダンシーバージョンに基づいて決まる初期位置から所定のビット数を選択して前記送信ビットを生成し、前記第２の符号化部は第２の符号化方式で所定の符号化率で符号化し、前記第２のインターリーブ部は前記第２の符号化部の出力ビットを並び替え、前記第２のビット選択部は前記第２のインターリーブ部の出力ビットからリダンダンシーバージョンに基づいて決まる初期位置から所定のビット数を選択して前記送信ビットを生成し、前記第１のビット選択部と前記第２のビット選択部は、同じリダンダンシーバージョンによる前記初期位置が異なる。
【００１０】
また本発明の基地局装置において、前記第１の符号化方式の前記所定の符号化率は１つで、前記第２の符号化方式の前記所定の符号化率は複数である。
【００１１】
また本発明の基地局装置において、前記第１のビット選択部が用いる前記リダンダンシーバージョンの数と前記第２のビット選択部が用いる前記リダンダンシーバージョンの数は異なる。
【００１２】
また本発明の基地局装置において、前記符号化部は、トランスポートブロックサイズ又は変調符号化方式（ＭＣＳ）によって前記第１の符号化方式で符号化するか、前記第２の符号化方式で符号化するかを判断する。
【００１３】
また本発明に係る端末装置は、送信ビットから生成された送信信号を送信する送信部を備え、前記送信部は、符号化及びレートマッチングにより前記送信ビットを生成する符号化部を備え、前記符号化部は、第１の符号化部、第１のインターリーブ部及び第１のビット選択部、及び、第２の符号化部、第２のインターリーブ部及び第２のビット選択部、を備え、前記第１の符号化部は第１の符号化方式で所定の符号化率で符号化し、前記第１のインターリーブ部は前記第１の符号化部の出力ビットを並び替え、前記第１のビット選択部は前記第１のインターリーブ部の出力ビットからリダンダンシーバージョンに基づいて決まる初期位置から所定のビット数を選択して前記送信ビットを生成し、前記第２の符号化部は第２の符号化方式で所定の符号化率で符号化し、前記第２のインターリーブ部は前記第２の符号化部の出力ビットを並び替え、前記第２のビット選択部は前記第２のインターリーブ部の出力ビットからリダンダンシーバージョンに基づいて決まる初期位置から所定のビット数を選択して前記送信ビットを生成し、前記第１のビット選択部と前記第２のビット選択部は、同じリダンダンシーバージョンによる前記初期位置が異なる。
【００１４】
また本発明の端末装置において、前記第１の符号化方式の前記所定の符号化率は１つで、前記第２の符号化方式の前記所定の符号化率は複数である。
【００１５】
また本発明の端末装置において、前記第１のビット選択部が用いる前記リダンダンシーバージョンの数と前記第２のビット選択部が用いる前記リダンダンシーバージョンの数は異なる。
【００１６】
また本発明の端末装置において、前記符号化部は、トランスポートブロックサイズ又は変調符号化方式（ＭＣＳ）によって前記第１の符号化方式で符号化するか、前記第２の符号化方式で符号化するかを判断する。
【００１７】
また本発明に係る通信方法は、送信ビットから生成された送信信号を送信する送信ステップを備え、前記送信ステップは、符号化及びレートマッチングにより前記送信ビットを生成する符号化ステップを備え、前記符号化ステップは、第１の符号化ステップ、第１のインターリーブステップ及び第１のビット選択ステップ、及び、第２の符号化ステップ、第２のインターリーブステップ及び第２のビット選択ステップ、を備え、前記第１の符号化ステップは第１の符号化方式で所定の符号化率で符号化し、前記第１のインターリーブステップは前記第１の符号化ステップの出力ビットを並び替え、前記第１のビット選択ステップは前記第１のインターリーブステップの出力ビットからリダンダンシーバージョンに基づいて決まる初期位置から所定のビット数を選択して前記送信ビットを生成し、前記第２の符号化ステップは第２の符号化方式で所定の符号化率で符号化し、前記第２のインターリーブステップは前記第２の符号化部の出力ビットを並び替え、前記第２のビット選択ステップは前記第２のインターリーブステップの出力ビットからリダンダンシーバージョンに基づいて決まる初期位置から所定のビット数を選択して前記送信ビットを生成し、前記第１のビット選択ステップと前記第２のビット選択ステップは、同じリダンダンシーバージョンによる前記初期位置が異なる。
【発明の効果】
【００１８】
本発明によれば、複数の通信方式が使用されるシステムにおいて、通信性能を改善することが可能となる。
【図面の簡単な説明】
【００１９】
【図１】本実施形態に係る通信システムの例を示す図である
【図２】本実施形態に係る基地局装置の構成例を示すブロック図である
【図３】本実施形態に係る符号化部の構成例を示す図である
【図４】本実施形態に係るビット選択部の動作例を説明するための図である
【図５】本実施形態に係る符号化部の構成例を示す図である
【図６】本実施形態に係るビット選択部の動作例を説明するための図である
【図７】本実施形態に係るビット選択部の動作例を説明するための図である
【図８】本実施形態に係るビット選択部の動作例を説明するための図である
【図９】本実施形態に係るビット選択部の動作例を説明するための図である
【図１０】本実施形態に係る端末装置の構成例を示すブロック図である
【発明を実施するための形態】
【００２０】
本実施形態における通信システムは、基地局装置（送信装置、セル、送信点、送信アンテナ群、送信アンテナポート群、コンポーネントキャリア、ｅＮｏｄｅＢ）および端末装置（端末、移動端末、受信点、受信端末、受信装置、受信アンテナ群、受信アンテナポート群、ＵＥ）を備える。また端末装置と接続している（無線リンクを確立している）基地局装置をサービングセルと呼ぶ。
【００２１】
本実施形態における基地局装置及び端末装置は、免許が必要な周波数帯域（ライセンスバンド）及び／又は免許不要の周波数帯域（アンライセンスバンド）で通信することができる。
【００２２】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００２３】
図１は、本実施形態に係る通信システムの例を示す図である。図１に示すように、本実施形態における通信システムは、基地局装置１Ａ、端末装置２Ａ、２Ｂを備える。また、
カバレッジ１−１は、基地局装置１Ａが端末装置と接続可能な範囲（通信エリア）である。また、端末装置２Ａ、２Ｂを総称して端末装置２とも称する。
【００２４】
図１において、端末装置２Ａから基地局装置１Ａへの上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００２５】
ＰＵＣＣＨは、上りリンク制御情報（Uplink Control Information: UCI）を送信する
ために用いられる。ここで、上りリンク制御情報は、下りリンクデータ（下りリンクトランスポートブロック、Downlink-Shared Channel: DL-SCH）に対するＡＣＫ（a positive acknowledgement）またはＮＡＣＫ（a negative acknowledgement）（ＡＣＫ／ＮＡＣＫ
）を含む。下りリンクデータに対するＡＣＫ／ＮＡＣＫを、ＨＡＲＱ−ＡＣＫ、ＨＡＲＱフィードバックとも称する。
【００２６】
また、上りリンク制御情報は、下りリンクに対するチャネル状態情報（Channel State Information: CSI）を含む。また、上りリンク制御情報は、上りリンク共用チャネル（Uplink-Shared Channel: UL-SCH）のリソースを要求するために用いられるスケジューリン
グ要求（Scheduling Request: SR）を含む。前記チャネル状態情報は、好適な空間多重数を指定するランク指標ＲＩ（Rank Indicator）、好適なプレコーダを指定するプレコーディング行列指標ＰＭＩ（Precoding Matrix Indicator）、好適な伝送レートを指定するチャネル品質指標ＣＱＩ（Channel Quality Indicator）、好適なＣＳＩ−ＲＳリソースを
示すＣＳＩ−ＲＳ（Reference Signal、参照信号）リソース指標ＣＲＩ（CSI-RS Resource Indication）などが該当する。
【００２７】
前記チャネル品質指標ＣＱＩは（以下、ＣＱＩ値）、所定の帯域（詳細は後述）における好適な変調方式（例えば、ＱＰＳＫ、１６ＱＡＭ、６４ＱＡＭ、２５６ＱＡＭなど）、符号化率（coding rate）とすることができる。ＣＱＩ値は、前記変更方式や符号化率に
より定められたインデックス（CQI Index）とすることができる。前記ＣＱＩ値は、予め
当該システムで定めたものをすることができる。
【００２８】
なお、前記ランク指標、前記プレコーディング品質指標は、予めシステムで定めたものとすることができる。前記ランク指標や前記プレコーディング行列指標は、空間多重数やプレコーディング行列情報により定められたインデックスとすることができる。なお、前記ランク指標、前記プレコーディング行列指標、前記チャネル品質指標ＣＱＩの値をＣＳＩ値と総称する。
【００２９】
ＰＵＳＣＨは、上りリンクデータ（上りリンクトランスポートブロック、UL-SCH）を送信するために用いられる。また、ＰＵＳＣＨは、上りリンクデータと共に、ＡＣＫ／ＮＡＣＫおよび／またはチャネル状態情報を送信するために用いられても良い。また、ＰＵＳＣＨは、上りリンク制御情報のみを送信するために用いられても良い。
【００３０】
また、ＰＵＳＣＨは、ＲＲＣメッセージを送信するために用いられる。ＲＲＣメッセージは、無線リソース制御（Radio Resource Control: RRC）層において処理される情報／
信号である。また、ＰＵＳＣＨは、ＭＡＣ  ＣＥ（Control Element）を送信するために
用いられる。ここで、ＭＡＣ  ＣＥは、媒体アクセス制御（MAC: Medium Access Control）層において処理（送信）される情報／信号である。
【００３１】
例えば、パワーヘッドルームは、ＭＡＣ  ＣＥに含まれ、ＰＵＳＣＨを経由して報告されても良い。すなわち、ＭＡＣ  ＣＥのフィールドが、パワーヘッドルームのレベルを示すために用いられても良い。
【００３２】
ＰＲＡＣＨは、ランダムアクセスプリアンブルを送信するために用いられる。
【００３３】
また、上りリンクの無線通信では、上りリンク物理信号として上りリンク参照信号（Uplink Reference Signal: UL RS）が用いられる。上りリンク物理信号は、上位層から出力された情報を送信するためには使用されないが、物理層によって使用される。ここで、上りリンク参照信号には、ＤＭＲＳ（Demodulation Reference Signal）、ＳＲＳ（Sounding Reference Signal）が含まれる。
【００３４】
ＤＭＲＳは、ＰＵＳＣＨまたはＰＵＣＣＨの送信に関連する。例えば、基地局装置１Ａは、ＰＵＳＣＨまたはＰＵＣＣＨの伝搬路補正を行なうためにＤＭＲＳを使用する。ＳＲＳは、ＰＵＳＣＨまたはＰＵＣＣＨの送信に関連しない。例えば、基地局装置１Ａは、上りリンクのチャネル状態を測定するためにＳＲＳを使用する。
【００３５】
図１において、基地局装置１Ａから端末装置２Ａへの下りリンクの無線通信では、以下の下りリンク物理チャネルが用いられる。下りリンク物理チャネルは、上位層から出力された情報を送信するために使用される。
・ＰＢＣＨ（Physical Broadcast Channel；報知チャネル）
・ＰＣＦＩＣＨ（Physical Control Format Indicator Channel；制御フォーマット指示
チャネル）
・ＰＨＩＣＨ（Physical Hybrid automatic repeat request Indicator Channel；HARQ指示チャネル）
・ＰＤＣＣＨ（Physical Downlink Control Channel；下りリンク制御チャネル）
・ＥＰＤＣＣＨ（Enhanced Physical Downlink Control Channel；拡張下りリンク制御チャネル）
・ＰＤＳＣＨ（Physical Downlink Shared Channel；下りリンク共有チャネル）
【００３６】
ＰＢＣＨは、端末装置で共通に用いられるマスターインフォメーションブロック（Master Information Block: MIB, Broadcast Channel: BCH）を報知するために用いられる。
ＰＣＦＩＣＨは、ＰＤＣＣＨの送信に用いられる領域（例えば、ＯＦＤＭ（Orthogonal Frequency Division Multiplexing;直交周波数分割多重）シンボルの数）を指示する情報
を送信するために用いられる。
【００３７】
ＰＨＩＣＨは、基地局装置１Ａが受信した上りリンクデータ（トランスポートブロック、コードワード）に対するＡＣＫ／ＮＡＣＫを送信するために用いられる。すなわち、ＰＨＩＣＨは、上りリンクデータに対するＡＣＫ／ＮＡＣＫを示すＨＡＲＱインディケータ（ＨＡＲＱフィードバック）を送信するために用いられる。また、ＡＣＫ／ＮＡＣＫは、ＨＡＲＱ−ＡＣＫとも呼称する。端末装置２Ａは、受信したＡＣＫ／ＮＡＣＫを上位レイヤに通知する。ＡＣＫ／ＮＡＣＫは、正しく受信されたことを示すＡＣＫ、正しく受信しなかったことを示すＮＡＣＫ、対応するデータがなかったことを示すＤＴＸである。また、上りリンクデータに対するＰＨＩＣＨが存在しない場合、端末装置２ＡはＡＣＫを上位レイヤに通知する。
【００３８】
ＰＤＣＣＨおよびＥＰＤＣＣＨは、下りリンク制御情報（Downlink Control Information: DCI）を送信するために用いられる。ここで、下りリンク制御情報の送信に対して、
複数のＤＣＩフォーマットが定義される。すなわち、下りリンク制御情報に対するフィールドがＤＣＩフォーマットに定義され、情報ビットへマップされる。
【００３９】
例えば、下りリンクに対するＤＣＩフォーマットとして、１つのセルにおける１つのＰＤＳＣＨ（１つの下りリンクトランスポートブロックの送信）のスケジューリングに使用されるＤＣＩフォーマット１Ａが定義される。
【００４０】
例えば、下りリンクに対するＤＣＩフォーマットには、ＰＤＳＣＨのリソース割り当てに関する情報、ＰＤＳＣＨに対するＭＣＳ（Modulation and Coding Scheme）に関する情報、ＰＵＣＣＨに対するＴＰＣコマンドなどの下りリンク制御情報が含まれる。ここで、下りリンクに対するＤＣＩフォーマットを、下りリンクグラント（または、下りリンクアサインメント）とも称する。
【００４１】
また、例えば、上りリンクに対するＤＣＩフォーマットとして、１つのセルにおける１つのＰＵＳＣＨ（１つの上りリンクトランスポートブロックの送信）のスケジューリングに使用されるＤＣＩフォーマット０が定義される。
【００４２】
例えば、上りリンクに対するＤＣＩフォーマットには、ＰＵＳＣＨのリソース割り当てに関する情報、ＰＵＳＣＨに対するＭＣＳに関する情報、ＰＵＳＣＨに対するＴＰＣコマンドなど上りリンク制御情報が含まれる。上りリンクに対するＤＣＩフォーマットを、上りリンクグラント（または、上りリンクアサインメント）とも称する。
【００４３】
また、上りリンクに対するＤＣＩフォーマットは、下りリンクのチャネル状態情報（ＣＳＩ；Channel State Information。受信品質情報とも称する。）を要求（CSI request）するために用いることができる。
【００４４】
また、上りリンクに対するＤＣＩフォーマットは、端末装置が基地局装置にフィードバックするチャネル状態情報報告(CSI feedback report)をマップする上りリンクリソース
を示す設定のために用いることができる。例えば、チャネル状態情報報告は、定期的にチャネル状態情報（Periodic CSI）を報告する上りリンクリソースを示す設定のために用いることができる。チャネル状態情報報告は、定期的にチャネル状態情報を報告するモード設定（CSI report mode）のために用いることができる。
【００４５】
例えば、チャネル状態情報報告は、不定期なチャネル状態情報（Aperiodic CSI）を報
告する上りリンクリソースを示す設定のために用いることができる。チャネル状態情報報告は、不定期的にチャネル状態情報を報告するモード設定（CSI report mode）のために
用いることができる。基地局装置は、前記定期的なチャネル状態情報報告又は前記不定期的なチャネル状態情報報告のいずれかを設定することができる。また、基地局装置は、前記定期的なチャネル状態情報報告及び前記不定期的なチャネル状態情報報告の両方を設定することもできる。
【００４６】
また、上りリンクに対するＤＣＩフォーマットは、端末装置が基地局装置にフィードバックするチャネル状態情報報告の種類を示す設定のために用いることができる。チャネル状態情報報告の種類は、広帯域ＣＳＩ（例えばWideband CQI）と狭帯域ＣＳＩ（例えば、Subband CQI）などがある。
【００４７】
端末装置は、下りリンクアサインメントを用いてＰＤＳＣＨのリソースがスケジュールされた場合、スケジュールされたＰＤＳＣＨで下りリンクデータを受信する。また、端末装置は、上りリンクグラントを用いてＰＵＳＣＨのリソースがスケジュールされた場合、スケジュールされたＰＵＳＣＨで上りリンクデータおよび／または上りリンク制御情報を送信する。
【００４８】
ＰＤＳＣＨは、下りリンクデータ（下りリンクトランスポートブロック、DL-SCH）を送信するために用いられる。また、ＰＤＳＣＨは、システムインフォメーションブロックタイプ１メッセージを送信するために用いられる。システムインフォメーションブロックタイプ１メッセージは、セルスペシフィック（セル固有）な情報である。
【００４９】
また、ＰＤＳＣＨは、システムインフォメーションメッセージを送信するために用いられる。システムインフォメーションメッセージは、システムインフォメーションブロックタイプ１以外のシステムインフォメーションブロックＸを含む。システムインフォメーションメッセージは、セルスペシフィック（セル固有）な情報である。
【００５０】
また、ＰＤＳＣＨは、ＲＲＣメッセージを送信するために用いられる。ここで、基地局装置から送信されるＲＲＣメッセージは、セル内における複数の端末装置に対して共通であっても良い。また、基地局装置１Ａから送信されるＲＲＣメッセージは、ある端末装置２に対して専用のメッセージ（dedicated signalingとも称する）であっても良い。すな
わち、ユーザ装置スペシフィック（ユーザ装置固有）な情報は、ある端末装置に対して専用のメッセージを使用して送信される。また、ＰＤＳＣＨは、ＭＡＣ  ＣＥを送信するために用いられる。
【００５１】
ここで、ＲＲＣメッセージおよび／またはＭＡＣ  ＣＥを、上位層の信号（higher layer signaling）とも称する。
【００５２】
また、ＰＤＳＣＨは、下りリンクのチャネル状態情報を要求するために用いることができる。また、ＰＤＳＣＨは、端末装置が基地局装置にフィードバックするチャネル状態情報報告(CSI feedback report)をマップする上りリンクリソースを送信するために用いる
ことができる。例えば、チャネル状態情報報告は、定期的にチャネル状態情報（Periodic
CSI）を報告する上りリンクリソースを示す設定のために用いることができる。チャネル状態情報報告は、定期的にチャネル状態情報を報告するモード設定（CSI report mode）
のために用いることができる。
【００５３】
下りリンクのチャネル状態情報報告の種類は広帯域ＣＳＩ（例えばWideband CSI）と狭帯域ＣＳＩ（例えば、Subband CSI）がある。広帯域ＣＳＩは、セルのシステム帯域に対
して１つのチャネル状態情報を算出する。狭帯域ＣＳＩは、システム帯域を所定の単位に区分し、その区分に対して１つのチャネル状態情報を算出する。
【００５４】
また、下りリンクの無線通信では、下りリンク物理信号として同期信号（Synchronization signal: SS）、下りリンク参照信号（Downlink Reference Signal: DL RS）が用いられる。下りリンク物理信号は、上位層から出力された情報を送信するためには使用されないが、物理層によって使用される。
【００５５】
同期信号は、端末装置が、下りリンクの周波数領域および時間領域の同期を取るために用いられる。また、下りリンク参照信号は、端末装置が、下りリンク物理チャネルの伝搬路補正を行なうために用いられる。例えば、下りリンク参照信号は、端末装置が、下りリンクのチャネル状態情報を算出するために用いられる。
【００５６】
ここで、下りリンク参照信号には、ＣＲＳ（Cell-specific Reference Signal;
セル固有参照信号）、ＰＤＳＣＨに関連するＵＲＳ（UE-specific Reference Signal；端末固有参照信号、端末装置固有参照信号）、ＥＰＤＣＣＨに関連するＤＭＲＳ（Demodulation Reference Signal）、ＮＺＰ  ＣＳＩ−ＲＳ（Non-Zero Power Chanel State Information - Reference Signal）、ＺＰ  ＣＳＩ−ＲＳ（Zero Power Chanel State Information - Reference Signal）が含まれる。
【００５７】
ＣＲＳは、サブフレームの全帯域で送信され、ＰＢＣＨ／ＰＤＣＣＨ／ＰＨＩＣＨ／ＰＣＦＩＣＨ／ＰＤＳＣＨの復調を行なうために用いられる。ＰＤＳＣＨに関連するＵＲＳは、ＵＲＳが関連するＰＤＳＣＨの送信に用いられるサブフレームおよび帯域で送信され、ＵＲＳが関連するＰＤＳＣＨの復調を行なうために用いられる。
【００５８】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。
【００５９】
ＮＺＰ  ＣＳＩ−ＲＳのリソースは、基地局装置１Ａによって設定される。例えば、端末装置２Ａは、ＮＺＰ  ＣＳＩ−ＲＳを用いて信号の測定（チャネルの測定）を行なう。ＺＰ  ＣＳＩ−ＲＳのリソースは、基地局装置１Ａによって設定される。基地局装置１Ａは、ＺＰ  ＣＳＩ−ＲＳをゼロ出力で送信する。例えば、端末装置２Ａは、ＮＺＰ  ＣＳＩ−ＲＳが対応するリソースにおいて干渉の測定を行なう。
【００６０】
ＭＢＳＦＮ（Multimedia Broadcast multicast service Single Frequency Network）
ＲＳは、ＰＭＣＨの送信に用いられるサブフレームの全帯域で送信される。ＭＢＳＦＮ
ＲＳは、ＰＭＣＨの復調を行なうために用いられる。ＰＭＣＨは、ＭＢＳＦＮ  ＲＳの送信に用いられるアンテナポートで送信される。
【００６１】
ここで、下りリンク物理チャネルおよび下りリンク物理信号を総称して、下りリンク信号とも称する。また、上りリンク物理チャネルおよび上りリンク物理信号を総称して、上りリンク信号とも称する。また、下りリンク物理チャネルおよび上りリンク物理チャネルを総称して、物理チャネルとも称する。また、下りリンク物理信号および上りリンク物理信号を総称して、物理信号とも称する。
【００６２】
また、ＢＣＨ、ＵＬ−ＳＣＨおよびＤＬ−ＳＣＨは、トランスポートチャネルである。ＭＡＣ層で用いられるチャネルを、トランスポートチャネルと称する。また、ＭＡＣ層で用いられるトランスポートチャネルの単位を、トランスポートブロック（Transport Block: TB）、または、ＭＡＣ  ＰＤＵ（Protocol Data Unit）とも称する。トランスポート
ブロックは、ＭＡＣ層が物理層に渡す（deliverする）データの単位である。物理層にお
いて、トランスポートブロックはコードワードにマップされ、コードワード毎に符号化処理などが行なわれる。
【００６３】
また、キャリアアグリゲーション（CA; Carrier Aggregation）をサポートしている端
末装置に対して、基地局装置は、より広帯域伝送のため複数のコンポーネントキャリア（CC; Component Carrier）を統合して通信することができる。キャリアアグリゲーション
では、１つのプライマリセル（ＰＣｅｌｌ；Primary Cell）及び１または複数のセカンダリセル（ＳＣｅｌｌ；Secondary Cell）がサービングセルの集合として設定される。
【００６４】
また、デュアルコネクティビティ（DC; Dual Connectivity）では、サービングセルの
グループとして、マスターセルグループ（MCG; Master Cell Group）とセカンダリセルグループ（SCG; Secondary Cell Group）が設定される。ＭＣＧはＰＣｅｌｌとオプション
で１又は複数のＳＣｅｌｌから構成される。またＳＣＧはプライマリＳＣｅｌｌ（ＰＳＣｅｌｌ）とオプションで１又は複数のＳＣｅｌｌから構成される。
【００６５】
図２は、本実施形態における基地局装置１Ａの構成を示す概略ブロック図である。図２に示すように、基地局装置１Ａは、上位層処理部（上位層処理ステップ）１０１、制御部（制御ステップ）１０２、送信部（送信ステップ）１０３、受信部（受信ステップ）１０
４と送受信アンテナ１０５を含んで構成される。また、上位層処理部１０１は、無線リソース制御部（無線リソース制御ステップ）１０１１、スケジューリング部（スケジューリングステップ）１０１２を含んで構成される。また、送信部１０３は、符号化部（符号化ステップ）１０３１、変調部（変調ステップ）１０３２、下りリンク参照信号生成部（下りリンク参照信号生成ステップ）１０３３、多重部（多重ステップ）１０３４、無線送信部（無線送信ステップ）１０３５を含んで構成される。また、受信部１０４は、無線受信部（無線受信ステップ）１０４１、多重分離部（多重分離ステップ）１０４２、復調部（復調ステップ）１０４３、復号部（復号ステップ）１０４４を含んで構成される。
【００６６】
上位層処理部１０１は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部１０１は、送信部１０３および受信部１０４の制御を行なうために必要な情報を生成し、制御部１０２に出力する。
【００６７】
上位層処理部１０１は、端末装置の機能（UE capability）等、端末装置に関する情報
を端末装置から受信する。言い換えると、端末装置は、自身の機能を基地局装置に上位層の信号で送信する。
【００６８】
なお、以下の説明において、端末装置に関する情報は、その端末装置が所定の機能をサポートするかどうかを示す情報、または、その端末装置が所定の機能に対する導入およびテストの完了を示す情報を含む。なお、以下の説明において、所定の機能をサポートするかどうかは、所定の機能に対する導入およびテストを完了しているかどうかを含む。
【００６９】
例えば、端末装置が所定の機能をサポートする場合、その端末装置はその所定の機能をサポートするかどうかを示す情報（パラメータ）を送信する。端末装置が所定の機能をサポートしない場合、その端末装置はその所定の機能をサポートするかどうかを示す情報（パラメータ）を送信しない。すなわち、その所定の機能をサポートするかどうかは、その所定の機能をサポートするかどうかを示す情報（パラメータ）を送信するかどうかによって通知される。なお、所定の機能をサポートするかどうかを示す情報（パラメータ）は、１または０の１ビットを用いて通知してもよい。
【００７０】
無線リソース制御部１０１１は、下りリンクのＰＤＳＣＨに配置される下りリンクデータ（トランスポートブロック）、システムインフォメーション、ＲＲＣメッセージ、ＭＡＣ  ＣＥなどを生成、又は上位ノードから取得する。無線リソース制御部１０１１は、下りリンクデータを送信部１０３に出力し、他の情報を制御部１０２に出力する。また、無線リソース制御部１０１１は、端末装置の各種設定情報の管理をする。
【００７１】
スケジューリング部１０１２は、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式（あるいはＭＣＳ）および送信電力などを決定する。スケジューリング部１０１２は、決定した情報を制御部１０２に出力する。
【００７２】
スケジューリング部１０１２は、スケジューリング結果に基づき、物理チャネル（ＰＤＳＣＨおよびＰＵＳＣＨ）のスケジューリングに用いられる情報を生成する。スケジューリング部１０１２は、生成した情報を制御部１０２に出力する。
【００７３】
制御部１０２は、上位層処理部１０１から入力された情報に基づいて、送信部１０３および受信部１０４の制御を行なう制御信号を生成する。制御部１０２は、上位層処理部１０１から入力された情報に基づいて、下りリンク制御情報を生成し、送信部１０３に出力
する。
【００７４】
送信部１０３は、制御部１０２から入力された制御信号に従って、下りリンク参照信号を生成し、上位層処理部１０１から入力されたＨＡＲＱインディケータ、下りリンク制御情報、および、下りリンクデータを、符号化および変調し、ＰＨＩＣＨ、ＰＤＣＣＨ、ＥＰＤＣＣＨ、ＰＤＳＣＨ、および下りリンク参照信号を多重して、送受信アンテナ１０５を介して端末装置２に信号を送信する。
【００７５】
符号化部１０３１は、上位層処理部１０１から入力されたＨＡＲＱインディケータ、下りリンク制御情報、および下りリンクデータを、ブロック符号化、ＬＤＰＣ（Low Density Parity Check; 低密度パリティチェック）符号化、畳み込み符号化、ターボ符号化等の予め定められた符号化方式を用いて符号化を行なう、または無線リソース制御部１０１１が決定した符号化方式を用いて符号化を行なう。
【００７６】
図３はターボ符号化における符号化部１０３１の構成例を示す概略ブロック図である。図３の例では、符号化部１０３１はターボ符号化部（ターボ符号化ステップ）３０１、インターリーブ部（インターリブステップ）３０２−１〜３０２−３、ビット選択部（ビット選択ステップ）３０３を備える。ターボ符号化部３０１はマザー符号化率で符号化を行う。なお、図３の例は、マザー符号化率を１／３としている。このときターボ符号化部３０１は、システマティックビット系列、第１パリティビット系列、第２パリティビット系列の３系列を出力する。インターリーブ部３０２−１〜３０２−３は、それぞれシステマティックビット（Ｓｙｓｔｅｍａｔｉｃ  ｂｉｔ）系列、第１パリティビット系列、第２パリティビット系列をインターリーブするサブブロックインターリーバである。インターリーブ部３０２−１〜３０２−３は並列処理を行なうため３つのブロックがあるが、直列処理を行なう場合は１つのインターリーブ部があればよい。ビット選択部３０３では、レートマッチングが行われる。ビット選択部３０３は、リダンダンシーバージョン（Redundancy Version; ＲＶ）やレートマッチング等により決定されたレート（ビット数）になるように、ビット系列を選択して、送信するビット系列を出力する。なお、符号化ビット系列は、端末装置が正しく情報データを受信できるまで保持しておく。保持した符号化ビット系列はＨＡＲＱに用いることができる。
【００７７】
図４は、ビット選択部３０３の動作例を説明するための図である。図４は２次元のサーキュラーバッファ（Ｃｉｒｃｕｌａｒ  ｂｕｆｆｅｒ）を表している。図中の四角にはインターリーブ後の符号化ビットが配置される。斜線の領域には、システマティックビット系列、白抜きの領域には第１パリティビット系列と第２パリティビット系列が縦方向に交互に配置される。配置されたビット系列に対し、ＲＶを初期位置（開始位置）として、必要なビット数を縦方向に読み出す。なお、ＬＴＥ（Ｌｏｎｇ  Ｔｅｒｍ  Ｅｖｏｌｕｔｉｏｎ）では、ＲＶは４通りある。ここでは４通りのＲＶをＲＶ０〜ＲＶ３として表す。なお、ＲＶ０〜ＲＶ３はそれぞれＲＶの値が０、１、２、３の場合を表す。また、ＲＶ０は、ＲＶのうちで最も多くのシステマティックビットを含むものである。また、通常、初送の場合、ＲＶ０が用いられる。再送の場合は、ＲＶ０〜ＲＶ３のどれかが用いられる。なお、再送回数によって用いられるＲＶが決められていても良い。
【００７８】
図５はＬＤＰＣ符号化における符号化部１０３１の構成例を示す概略ブロック図である。図５の例では、符号化部１０３１は、ＬＤＰＣ符号化部（ＬＤＰＣ符号化ステップ）５０１、インターリーブ部（インターリーブステップ）５０２、ビット選択部（ビット選択ステップ）５０３を備える。ＬＤＰＣ符号化部５０１は、例えば符号化率１／３のマザー符号化率でＬＰＤＣ符号化を行う。ＬＤＰＣ符号化は、生成行列を用いて符号化を行う。符号化部１０３１は、符号化ブロックサイズ、トランスポートブロックサイズ、又はＭＣＳによって異なる生成行列を用いることができる。なお、ＬＤＰＣ符号化の場合、インタ
ーリーブ部５０２はなくてもよい。
【００７９】
図６はビット選択部５０３の動作例を説明するための図である。図６は２次元のサーキュラーバッファを表している。図中の四角にはインターリーブ後の符号化ビットが配置される。斜線の領域には、システマティックビット系列、白抜きの領域にはパリティビット系列が縦方向に配置される。配置されたビット系列に対し、ＲＶを初期位置（開始位置）として、必要なビット数を縦方向に読み出す。ＲＶはＲＶ０〜ＲＶ３の４通りを示している。図４の例（つまりターボ符号化の場合）との違いは、ＲＶによる読み出し位置が異なることである。ターボ符号化では、ＲＶ０の場合に全てのシステマティックビットを送信しない場合がある。ターボ符号化はこのときにビット誤り率が良くなるが、ＬＤＰＣ符号化の場合は、システマティックビットは全て送信した方がビット誤り率は良くなる。従って、ＬＤＰＣ符号化では、ＲＶ０の場合にシステマティックビットの先頭から読み出し、全てのシステマティックビットが送信される。
【００８０】
例えば、ビット選択部５０３の動作は、該ビット選択部５０３に入力される符号化ビットに適用される符号化方式に基づき、与えられてもよい。例えば、ビット選択部５０３に入力される符号化ビットに適用される符号化方式がターボ符号以外である場合に、サーキュラーバッファが生成されなくてもよい。サーキュラーバッファが生成されない場合、ビット選択部５０３の動作は、該ビット選択部５０３に入力される符号化ビットを出力することであってもよい。ビット選択部５０３に入力される符号化ビットを出力することは、端末装置、または、基地局装置が、ビット選択部５０３を備えないことであってもよい。また、サーキュラーバッファが生成されない場合、ビット選択部５０３の動作は、該ビット選択部５０３に入力される符号化ビットに所定のパンクチャリングパターンが適用されるようにレートマッチされてもよい。ここで、所定のパンクチャリングパターンは、仕様書等の記載に基づいて与えられてもよい。また、所定のパンクチャリングパターンは、ＲＲＣシグナリング等の上位層の信号、または、物理層の制御情報（または、制御チャネル等）に基づき与えられてもよい。
【００８１】
例えば、ビット選択部５０３に入力される符号化ビットに適用される符号化方式がターボ符号以外である場合に、サーキュラーバッファに４個ではないＲＶのセットが設定されてもよい。ここで、４個ではないＲＶのセットは、例えば、１個、２個、３個、５個、６個、７個、８個等であってもよい。ＲＶのセットの数は、再送回数の上限値（例えば、ＨＡＲＱにおける再送回数の上限値等）に基づき与えられてもよい。また、ビット選択部５０３に入力される符号化ビットに適用される符号化方式がターボ符号である場合に、サーキュラーバッファに４つのＲＶのセット（例えば、図４、または、図６に示されるＲＶ０〜ＲＶ３等）が設定されてもよい。
【００８２】
例えば、ビット選択部５０３に入力される符号化ビットに適用される符号化方式に基づき、ＲＶのセットに関する設定が与えられてもよい。ここで、ＲＶのセットに関する設定とは、サーキュラーバッファに設定されるＲＶの位置であってもよい。ビット選択部５０３に入力される符号化ビットに適用される符号化方式がターボ符号以外である場合に、サーキュラーバッファに第１のＲＶセット（例えば、図６に示されるＲＶ０〜ＲＶ３の位置）が設定されてもよい。また、ビット選択部３０３に入力される符号化ビットに適用される符号化方式がターボ符号である場合に、サーキュラーバッファに第２のＲＶセット（例えば、図４に示されるＲＶ０〜ＲＶ３の位置）が設定されてもよい。
【００８３】
また、ＲＶセットは、複数のＲＶの中から選択されたものであってもよい。例えば、第１のＲＶセット及び第２のＲＶセットは、８個のＲＶ（ＲＶ０からＲＶ７）から選択された４個のＲＶとすることができる。ＲＶ０がシステマティックビットの先頭から読み出すものとすると、符号化方式がＬＤＰＣ符号などのターボ符号以外の符号化方式の場合、第
１のＲＶセットはＲＶ０、ＲＶ２、ＲＶ４、ＲＶ８であり、符号化方式がターボ符号の場合、第２のＲＶセットはＲＶ１、ＲＶ３、ＲＶ５、ＲＶ７が選択される。なお、ＲＶセットに含まれるＲＶは、基地局装置又は端末装置が設定することもできるし、複数のＲＶセット（例えば第１のＲＶセット、第２のＲＶセット）からあるＲＶセットを基地局装置又は端末装置が選択することもできる。このように８個のＲＶから４個のＲＶを選択して用いる例では、基地局装置又は端末装置はリダンダンシーバージョンを示す２ビットを制御情報に含めて送信することができる。この場合、基地局装置又は端末装置は、受信したリダンダンシーバージョンを示す２ビットから８個のうちの４個のＲＶを特定することができる。
【００８４】
また、ＬＤＰＣ符号はパンクチャリング（ビット選択）によるレートマッチングの性能が良くない場合がある。そのため、ＬＤＰＣ符号化では、複数のマザー符号化率を持つ（サポートする）ことができる。例えばマザー符号化率は１／３、１／２とすることができる。図７は、マザー符号化率１／２の場合のビット選択部５０３の動作例である。また、複数のマザー符号化率を持つ場合、ビット選択のパターンは減るため、ＲＶの数も減らすことができる。図８は、マザー符号化率１／３でＲＶ数を２にした場合である。また図９は、マザー符号化率１／２でＲＶ数を２にした場合である。マザー符号化率１／３と１／２の切替えは、符号化率又はＭＣＳで行われる。例えば、符号化率又はＭＣＳに対応する符号化率が１／３から１／２の場合、マザー符号化率は１／３とすることができる。また例えば符号化率又はＭＣＳに対応する符号化率が１／２を超える場合、マザー符号化率は１／２とすることができる。
【００８５】
なお、上記実施例で説明した符号化率の値やＲＶの数はあくまで一例であり、異なる値の場合も本発明に含まれる。このことは以降の実施例でも同様である。
【００８６】
また、符号化部１０３１は、トランスポートブロックサイズ又は情報ビット長によって符号化方式を切り替えることができる。例えば、トランスポートブロックサイズが小さい場合はターボ符号化し、トランスポートブロックサイズが大きい場合はＬＤＰＣ符号化することができる。基地局装置は、その閾値となるトランスポートブロックサイズ又は情報ビット長を端末装置に指示又は送信することができる。端末装置は、基地局装置から指示又は送信された閾値を用いて、符号化方式を判断することができる。
【００８７】
また、符号化部１０３１は、システム帯域幅によって符号化方式を切り替えることができる。ＬＤＰＣ符号は符号語長が長い方が高性能となる。従って、例えば、符号化部１０３１は、システム帯域幅が２０ＭＨｚよりも狭い場合、ターボ符号化し、システム帯域幅が２０ＭＨｚよりも広い場合、ＬＤＰＣ符号化することができる。このとき端末装置は、システム帯域幅が２０ＭＨｚよりも狭い場合、ターボ符号で復号し、システム帯域幅が２０ＭＨｚよりも広い場合、ＬＤＰＣ符号で復号することができる。また、符号化部１０３１は、キャリア周波数によって符号化方式を切り替えることができる。例えば、符号化部１０３１は、キャリア周波数が６ＧＨｚ以下の場合、ターボ符号化し、キャリア周波数が６ＧＨｚ以上の場合、ＬＤＰＣ符号化することができる。このとき端末装置は、キャリア周波数が６ＧＨｚ以下の場合、ターボ符号で復号し、キャリア周波数が６ＧＨｚ以上の場合、ＬＤＰＣ符号で復号することができる。
【００８８】
基地局装置は、サブキャリア間隔を変えて送信信号を送信することができる。この場合、符号化部１０３１は、サブキャリア間隔によって符号化方式を切り替えることができる。例えば、符号化部１０３１は、サブキャリア間隔が１５ＫＨｚの場合、ターボ符号化し、サブキャリア間隔が１５ＫＨｚよりも広い場合、ＬＤＰＣ符号化することができる。このとき端末装置は、サブキャリア間隔が１５ＫＨｚの場合、ターボ符号で復号し、サブキャリア間隔が１５ＫＨｚよりも広い場合、ＬＤＰＣ符号で復号することができる。
【００８９】
また、符号化部１０３１は、セル毎に符号化方式を切り替えることができる。例えばＰＣｅｌｌではターボ符号化し、ＰＳＣｅｌｌ／ＳＣｅｌｌではターボ符号化及び／又はＬＤＰＣ符号化することができる。
【００９０】
変調部１０３２は、符号化部１０３１から入力された符号化ビットをＢＰＳＫ（Binary
Phase Shift Keying）、ＱＰＳＫ（Quadrature Phase Shift Keying）、１６ＱＡＭ（quadratureamplitude modulation）、６４ＱＡＭ、２５６ＱＡＭ等の予め定められた、または無線リソース制御部１０１１が決定した変調方式で変調する。
【００９１】
下りリンク参照信号生成部１０３３は、基地局装置１Ａを識別するための物理セル識別子（ＰＣＩ、セルＩＤ）などを基に予め定められた規則で求まる、端末装置２Ａが既知の系列を下りリンク参照信号として生成する。
【００９２】
多重部１０３４は、変調された各チャネルの変調シンボルと生成された下りリンク参照信号と下りリンク制御情報とを多重する。つまり、多重部１０３４は、変調された各チャネルの変調シンボルと生成された下りリンク参照信号と下りリンク制御情報とをリソースエレメントに配置する。
【００９３】
無線送信部１０３５は、多重された変調シンボルなどを逆高速フーリエ変換（Inverse Fast Fourier Transform: IFFT）してＯＦＤＭシンボルを生成し、ＯＦＤＭシンボルにサイクリックプレフィックス（cyclic prefix: CP）を付加してベースバンドのディジタル
信号を生成し、ベースバンドのディジタル信号をアナログ信号に変換し、フィルタリングにより余分な周波数成分を除去し、搬送周波数にアップコンバートし、電力増幅し、送受信アンテナ１０５に出力して送信する。
【００９４】
受信部１０４は、制御部１０２から入力された制御信号に従って、送受信アンテナ１０５を介して端末装置２Ａから受信した受信信号を分離、復調、復号し、復号した情報を上位層処理部１０１に出力する。
【００９５】
無線受信部１０４１は、送受信アンテナ１０５を介して受信された上りリンクの信号を、ダウンコンバートによりベースバンド信号に変換し、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【００９６】
無線受信部１０４１は、変換したディジタル信号からＣＰに相当する部分を除去する。無線受信部１０４１は、ＣＰを除去した信号に対して高速フーリエ変換（Fast Fourier Transform: FFT）を行い、周波数領域の信号を抽出し多重分離部１０４２に出力する。
【００９７】
多重分離部１０４２は、無線受信部１０４１から入力された信号をＰＵＣＣＨ、ＰＵＳＣＨ、上りリンク参照信号などの信号に分離する。なお、この分離は、予め基地局装置１Ａが無線リソース制御部１０１１で決定し、各端末装置２に通知した上りリンクグラントに含まれる無線リソースの割り当て情報に基づいて行なわれる。
【００９８】
また、多重分離部１０４２は、ＰＵＣＣＨとＰＵＳＣＨの伝搬路の補償を行なう。また、多重分離部１０４２は、上りリンク参照信号を分離する。
【００９９】
復調部１０４３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれ
ぞれに対して、ＢＰＳＫ、ＱＰＳＫ、１６ＱＡＭ、６４ＱＡＭ、２５６ＱＡＭ等の予め定められた、または自装置が端末装置２各々に上りリンクグラントで予め通知した変調方式を用いて受信信号の復調を行なう。
【０１００】
復号部１０４４は、復調されたＰＵＣＣＨとＰＵＳＣＨの符号化ビットを、予め定められた符号化方式の、予め定められた、又は自装置が端末装置２に上りリンクグラントで予め通知した符号化率で復号を行ない、復号した上りリンクデータと、上りリンク制御情報を上位層処理部１０１へ出力する。ＰＵＳＣＨが再送信の場合は、復号部１０４４は、上位層処理部１０１から入力されるＨＡＲＱバッファに保持している符号化ビットと、復調された符号化ビットを用いて復号を行なう。
【０１０１】
図１０は、本実施形態における端末装置２の構成を示す概略ブロック図である。図１０に示すように、端末装置２Ａは、上位層処理部（上位層処理ステップ）２０１、制御部（制御ステップ）２０２、送信部（送信ステップ）２０３、受信部（受信ステップ）２０４、チャネル状態情報生成部（チャネル状態情報生成ステップ）２０５と送受信アンテナ２０６を含んで構成される。また、上位層処理部２０１は、無線リソース制御部（無線リソース制御ステップ）２０１１、スケジューリング情報解釈部（スケジューリング情報解釈ステップ）２０１２を含んで構成される。また、送信部２０３は、符号化部（符号化ステップ）２０３１、変調部（変調ステップ）２０３２、上りリンク参照信号生成部（上りリンク参照信号生成ステップ）２０３３、多重部（多重ステップ）２０３４、無線送信部（無線送信ステップ）２０３５を含んで構成される。また、受信部２０４は、無線受信部（無線受信ステップ）２０４１、多重分離部（多重分離ステップ）２０４２、信号検出部（信号検出ステップ）２０４３を含んで構成される。
【０１０２】
上位層処理部２０１は、ユーザの操作等によって生成された上りリンクデータ（トランスポートブロック）を、送信部２０３に出力する。また、上位層処理部２０１は、媒体アクセス制御（Medium Access Control: MAC）層、パケットデータ統合プロトコル（Packet
Data Convergence Protocol: PDCP）層、無線リンク制御（Radio Link Control: RLC）
層、無線リソース制御（Radio Resource Control: RRC）層の処理を行なう。
【０１０３】
上位層処理部２０１は、自端末装置がサポートしている端末装置の機能を示す情報を、送信部２０３に出力する。
【０１０４】
無線リソース制御部２０１１は、自端末装置の各種設定情報の管理をする。また、無線リソース制御部２０１１は、上りリンクの各チャネルに配置される情報を生成し、送信部２０３に出力する。
【０１０５】
無線リソース制御部２０１１は、基地局装置から送信されたＣＳＩフィードバックに関する設定情報を取得し、制御部２０２に出力する。
【０１０６】
スケジューリング情報解釈部２０１２は、受信部２０４を介して受信した下りリンク制御情報を解釈し、スケジューリング情報を判定する。また、スケジューリング情報解釈部２０１２は、スケジューリング情報に基づき、受信部２０４、および送信部２０３の制御を行なうために制御情報を生成し、制御部２０２に出力する。
【０１０７】
制御部２０２は、上位層処理部２０１から入力された情報に基づいて、受信部２０４、チャネル状態情報生成部２０５および送信部２０３の制御を行なう制御信号を生成する。制御部２０２は、生成した制御信号を受信部２０４、チャネル状態情報生成部２０５および送信部２０３に出力して受信部２０４、および送信部２０３の制御を行なう。
【０１０８】
制御部２０２は、チャネル状態情報生成部２０５が生成したＣＳＩを基地局装置に送信するように送信部２０３を制御する。
【０１０９】
受信部２０４は、制御部２０２から入力された制御信号に従って、送受信アンテナ２０６を介して基地局装置１Ａから受信した受信信号を、分離、復調、復号し、復号した情報を上位層処理部２０１に出力する。
【０１１０】
無線受信部２０４１は、送受信アンテナ２０６を介して受信した下りリンクの信号を、ダウンコンバートによりベースバンド信号に変換し、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。
【０１１１】
また、無線受信部２０４１は、変換したディジタル信号からＣＰに相当する部分を除去し、ＣＰを除去した信号に対して高速フーリエ変換を行い、周波数領域の信号を抽出する。
【０１１２】
多重分離部２０４２は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部２０４２は、チャネル測定から得られた所望信号のチャネルの推定値に基づいて、ＰＨＩＣＨ、ＰＤＣＣＨ、およびＥＰＤＣＣＨのチャネルの補償を行ない、下りリンク制御情報を検出し、制御部２０２に出力する。また、制御部２０２は、ＰＤＳＣＨおよび所望信号のチャネル推定値を信号検出部２０４３に出力する。
【０１１３】
信号検出部２０４３は、ＰＤＳＣＨ、チャネル推定値を用いて、信号検出、復調、復号し、上位層処理部２０１に出力する。
【０１１４】
信号検出部２０４３は、基地局装置から送信されたＰＤＳＣＨの符号化方式に従って、復号する。信号検出部２０４３は、基地局装置から符号化方式を指示又は設定された場合、指示された符号化方式を用いて復号する。また信号検出部２０４３は、基地局装置から受信した信号のトランスポートブロックサイズ、情報ビット長、符号化ブロックサイズ、符号化率、ＭＣＳ、システム帯域幅、キャリア周波数、サブキャリア間隔の一部又は全部に基づいて符号化方式を切り替えることができる。例えば、信号検出部２０４３は、トランスポートブロックサイズが小さい場合はターボ符号で復号し、トランスポートブロックサイズが大きい場合はＬＤＰＣ符号で復号することができる。また例えば、信号検出部２０４３は、システム帯域幅が２０ＭＨｚよりも狭い場合、ターボ符号で復号し、システム帯域幅が２０ＭＨｚよりも広い場合、ＬＤＰＣ符号で復号することができる。また例えば、信号検出部２０４３は、キャリア周波数が６ＧＨｚ以下の場合、ターボ符号で復号し、キャリア周波数が６ＧＨｚ以上の場合、ＬＤＰＣ符号で復号することができる。また例えば、信号検出部２０４３は、サブキャリア間隔が１５ＫＨｚの場合、ターボ符号で復号し、サブキャリア間隔が１５ＫＨｚよりも広い場合、ＬＤＰＣ符号で復号することができる。
【０１１５】
送信部２０３は、制御部２０２から入力された制御信号に従って、上りリンク参照信号を生成し、上位層処理部２０１から入力された上りリンクデータ（トランスポートブロック）を符号化および変調し、ＰＵＣＣＨ、ＰＵＳＣＨ、および生成した上りリンク参照信号を多重し、送受信アンテナ２０６を介して基地局装置１Ａに送信する。
【０１１６】
符号化部２０３１は、上位層処理部２０１から入力された上りリンク制御情報又は上りリンクデータを、畳込み符号化、ブロック符号化、ターボ符号化、ＬＤＰＣ（Low Densit
y Parity Check; 低密度パリティチェック）符号化等の予め定められた符号化方式、又は無線リソース制御部２０１１が決定した符号化方式を用いて符号化を行なう。
【０１１７】
符号化部２０３１の構成例及び動作は符号化部１０３１と同様である。従って、符号化部２０３１に関する説明は上記の符号化部１０３１と同様に説明することができる。
【０１１８】
図３はターボ符号化における符号化部２０３１の構成例を示す概略ブロック図である。図３の例では、符号化部２０３１はターボ符号化部（ターボ符号化ステップ）３０１、インターリーブ部（インターリブステップ）３０２−１〜３０２−３、ビット選択部（ビット選択ステップ）３０３を備える。ターボ符号化部３０１はマザー符号化率で符号化を行う。なお、図３の例は、マザー符号化率を１／３としている。このときターボ符号化部３０１は、システマティックビット系列、第１パリティビット系列、第２パリティビット系列の３系列を出力する。インターリーブ部３０２−１〜３０２−３は、それぞれシステマティックビット（Ｓｙｓｔｅｍａｔｉｃ  ｂｉｔ）系列、第１パリティビット系列、第２パリティビット系列をインターリーブするサブブロックインターリーバである。インターリーブ部３０２−１〜３０２−３は並列処理を行なうため３つのブロックがあるが、直列処理を行なう場合は１つのインターリーブ部があればよい。ビット選択部３０３では、レートマッチングが行われる。ビット選択部３０３は、リダンダンシーバージョン（Redundancy Version; ＲＶ）やレートマッチング等により決定されたレート（ビット数）になるように、ビット系列を選択して、送信するビット系列を出力する。なお、符号化ビット系列は、基地局装置が正しく情報データを受信できるまで保持しておく。保持した符号化ビット系列はＨＡＲＱに用いることができる。
【０１１９】
図４は、ビット選択部３０３の動作例を説明するための図である。図４は２次元のサーキュラーバッファ（Ｃｉｒｃｕｌａｒ  ｂｕｆｆｅｒ）を表している。図中の四角にはインターリーブ後の符号化ビットが配置される。斜線の領域には、システマティックビット系列、白抜きの領域には第１パリティビット系列と第２パリティビット系列が縦方向に交互に配置される。配置されたビット系列に対し、ＲＶを開始位置として、必要なビット数を縦方向に読み出す。なお、ＬＴＥ（Ｌｏｎｇ  Ｔｅｒｍ  Ｅｖｏｌｕｔｉｏｎ）では、ＲＶは４通りある。ここでは４通りのＲＶをＲＶ０〜ＲＶ３として表す。なお、ＲＶ０〜ＲＶ３はそれぞれＲＶの値が０、１、２、３の場合を表す。また、ＲＶ０は、ＲＶのうちで最も多くのシステマティックビットを含むものである。また、通常、初送の場合、ＲＶ０が用いられる。再送の場合は、ＲＶ０〜ＲＶ３のどれかが用いられる。なお、再送回数によって用いられるＲＶが決められていても良い。
【０１２０】
図５はＬＤＰＣ符号化における符号化部２０３１の構成例を示す概略ブロック図である。図５の例では、符号化部２０３１は、ＬＤＰＣ符号化部（ＬＤＰＣ符号化ステップ）５０１、インターリーブ部（インターリーブステップ）５０２、ビット選択部（ビット選択ステップ）５０３を備える。ＬＤＰＣ符号化部５０１は、例えば符号化率１／３のマザー符号化率でＬＰＤＣ符号化を行う。ＬＤＰＣ符号化は、生成行列を用いて符号化を行う。符号化部２０３１は、符号化ブロックサイズ、トランスポートブロックサイズ、又はＭＣＳによって異なる生成行列を用いることができる。なお、ＬＤＰＣ符号化の場合、インターリーブ部５０２はなくてもよい。
【０１２１】
図６はビット選択部５０３の動作例を説明するための図である。図６は２次元のサーキュラーバッファを表している。図中の四角にはインターリーブ後の符号化ビットが配置される。斜線の領域には、システマティックビット系列、白抜きの領域にはパリティビット系列が縦方向に配置される。配置されたビット系列に対し、ＲＶを初期位置（開始位置）として、必要なビット数を縦方向に読み出す。ＲＶはＲＶ０〜ＲＶ３の４通りを示している。図４の例（つまりターボ符号化の場合）との違いは、ＲＶによる読み出し位置が異な
ることである。ターボ符号化では、ＲＶ０の場合に全てのシステマティックビットを送信しない場合がある。ターボ符号化はこのときにビット誤り率が良くなるが、ＬＤＰＣ符号化の場合は、システマティックビットは全て送信した方がビット誤り率は良くなる。従って、ＬＤＰＣ符号化では、ＲＶ０の場合にシステマティックビットの先頭から読み出し、全てのシステマティックビットが送信される。
【０１２２】
例えば、ビット選択部５０３の動作は、該ビット選択部５０３に入力される符号化ビットに適用される符号化方式に基づき、与えられてもよい。例えば、ビット選択部５０３に入力される符号化ビットに適用される符号化方式がターボ符号以外である場合に、サーキュラーバッファが生成されなくてもよい。サーキュラーバッファが生成されない場合、ビット選択部５０３の動作は、該ビット選択部５０３に入力される符号化ビットを出力することであってもよい。ビット選択部５０３に入力される符号化ビットを出力することは、端末装置、または、基地局装置が、ビット選択部５０３を備えないことであってもよい。また、サーキュラーバッファが生成されない場合、ビット選択部５０３の動作は、該ビット選択部５０３に入力される符号化ビットに所定のパンクチャリングパターンが適用されるようにレートマッチされてもよい。ここで、所定のパンクチャリングパターンは、仕様書等の記載に基づいて与えられてもよい。また、所定のパンクチャリングパターンは、ＲＲＣシグナリング等の上位層の信号、または、物理層の制御情報（または、制御チャネル等）に基づき与えられてもよい。
【０１２３】
例えば、ビット選択部５０３に入力される符号化ビットに適用される符号化方式がターボ符号以外である場合に、サーキュラーバッファに４個ではないＲＶのセットが設定されてもよい。ここで、４個ではないＲＶのセットは、例えば、１個、２個、３個、５個、６個、７個、８個等であってもよい。ＲＶのセットの数は、再送回数の上限値（例えば、ＨＡＲＱにおける再送回数の上限値等）に基づき与えられてもよい。また、ビット選択部５０３に入力される符号化ビットに適用される符号化方式がターボ符号である場合に、サーキュラーバッファに４つのＲＶのセット（例えば、図４、または、図６に示されるＲＶ０〜ＲＶ３等）が設定されてもよい。
【０１２４】
例えば、ビット選択部５０３に入力される符号化ビットに適用される符号化方式に基づき、ＲＶのセットに関する設定が与えられてもよい。ここで、ＲＶのセットに関する設定とは、サーキュラーバッファに設定されるＲＶの位置であってもよい。ビット選択部５０３に入力される符号化ビットに適用される符号化方式がターボ符号以外である場合に、サーキュラーバッファに第１のＲＶセット（例えば、図６に示されるＲＶ０〜ＲＶ３の位置）が設定されてもよい。また、該ビット選択部５０３に入力される符号化ビットに適用される符号化方式がターボ符号である場合に、サーキュラーバッファに第２のＲＶセット（例えば、図４に示されるＲＶ０〜ＲＶ３の位置）が設定されてもよい。
【０１２５】
また、ＲＶセットは、複数のＲＶの中から選択されたものであってもよい。例えば、第１のＲＶセット及び第２のＲＶセットは、８個のＲＶ（ＲＶ０からＲＶ７）から選択された４個のＲＶとすることができる。ＲＶ０がシステマティックビットの先頭から読み出すものとすると、符号化方式がＬＤＰＣ符号などのターボ符号以外の符号化方式の場合、第１のＲＶセットはＲＶ０、ＲＶ２、ＲＶ４、ＲＶ８であり、符号化方式がターボ符号の場合、第２のＲＶセットはＲＶ１、ＲＶ３、ＲＶ５、ＲＶ７が選択される。なお、ＲＶセットに含まれるＲＶは、基地局装置又は端末装置が設定することもできるし、複数のＲＶセット（例えば第１のＲＶセット、第２のＲＶセット）からあるＲＶセットを基地局装置又は端末装置が選択することもできる。このように８個のＲＶから４個のＲＶを選択して用いる例では、基地局装置又は端末装置はリダンダンシーバージョンを示す２ビットを制御情報に含めて送信することができる。この場合、基地局装置又は端末装置は、受信したリダンダンシーバージョンを示す２ビットから８個のうちの４個のＲＶを特定することがで
きる。
【０１２６】
また、ＬＤＰＣ符号はパンクチャリング（ビット選択）によるレートマッチングの性能が良くない場合がある。そのため、ＬＤＰＣ符号化では、複数のマザー符号化率を持つ（サポートする）ことができる。例えばマザー符号化率は１／３、１／２とすることができる。図７は、マザー符号化率１／２の場合のビット選択部５０３の動作例である。また、複数のマザー符号化率を持つ場合、ビット選択のパターンは減るため、ＲＶの数も減らすことができる。図８は、マザー符号化率１／３でＲＶ数を２にした場合である。また図９は、マザー符号化率１／２でＲＶ数を２にした場合である。マザー符号化率１／３と１／２の切替えは、符号化率又はＭＣＳで行われる。例えば、符号化率又はＭＣＳに対応する符号化率が１／３から１／２の場合、マザー符号化率は１／３とすることができる。また例えば符号化率又はＭＣＳに対応する符号化率が１／２を超える場合、マザー符号化率は１／２とすることができる。
【０１２７】
また、符号化部２０３１は、トランスポートブロックサイズ又は情報ビット長によって符号化方式を切り替えることができる。例えば、トランスポートブロックサイズが小さい場合はターボ符号化し、トランスポートブロックサイズが大きい場合はＬＤＰＣ符号化することができる。端末装置は、その閾値となるトランスポートブロックサイズ又は情報ビット長を端末装置に指示又は送信することができる。端末装置は、基地局装置から指示又は送信された閾値を用いて、符号化方式を判断することができる。
【０１２８】
また、符号化部２０３１は、システム帯域幅によって符号化方式を切り替えることができる。ＬＤＰＣ符号は符号語長が長い方が高性能となる。従って、例えば、符号化部２０３１は、システム帯域幅が２０ＭＨｚよりも狭い場合、ターボ符号化し、システム帯域幅が２０ＭＨｚよりも広い場合、ＬＤＰＣ符号化することができる。このとき基地局装置は、システム帯域幅が２０ＭＨｚよりも狭い場合、ターボ符号で復号し、システム帯域幅が２０ＭＨｚよりも広い場合、ＬＤＰＣ符号で復号することができる。また、符号化部２０３１は、キャリア周波数によって符号化方式を切り替えることができる。例えば、符号化部２０３１は、キャリア周波数が６ＧＨｚ以下の場合、ターボ符号化し、キャリア周波数が６ＧＨｚ以上の場合、ＬＤＰＣ符号化することができる。このとき基地局装置は、キャリア周波数が６ＧＨｚ以下の場合、ターボ符号で復号し、キャリア周波数が６ＧＨｚ以上の場合、ＬＤＰＣ符号で復号することができる。
【０１２９】
端末装置は、サブキャリア間隔を変えて送信信号を送信することができる。この場合、符号化部２０３１は、サブキャリア間隔によって符号化方式を切り替えることができる。例えば、符号化部２０３１は、サブキャリア間隔が１５ＫＨｚの場合、ターボ符号化し、サブキャリア間隔が１５ＫＨｚよりも広い場合、ＬＤＰＣ符号化することができる。このとき基地局装置は、サブキャリア間隔が１５ＫＨｚの場合、ターボ符号で復号し、サブキャリア間隔が１５ＫＨｚよりも広い場合、ＬＤＰＣ符号で復号することができる。
【０１３０】
また、符号化部２０３１は、セル毎に符号化方式を切り替えることができる。例えばＰＣｅｌｌではターボ符号化し、ＰＳＣｅｌｌ／ＳＣｅｌｌではターボ符号化及び／又はＬＤＰＣ符号化することができる。
【０１３１】
変調部２０３２は、符号化部２０３１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。
【０１３２】
上りリンク参照信号生成部２０３３は、基地局装置１Ａを識別するための物理セル識別子（physical cell identity: PCI、Cell IDなどと称される）、上りリンク参照信号を配
置する帯域幅、上りリンクグラントで通知されたサイクリックシフト、ＤＭＲＳシーケンスの生成に対するパラメータの値などを基に、予め定められた規則（式）で求まる系列を生成する。
【０１３３】
多重部２０３４は、制御部２０２から入力された制御信号に従って、ＰＵＳＣＨの変調シンボルを並列に並び替えてから離散フーリエ変換（Discrete Fourier Transform: DFT
）する。また、多重部２０３４は、ＰＵＣＣＨとＰＵＳＣＨの信号と生成した上りリンク参照信号を送信アンテナポート毎に多重する。つまり、多重部２０３４は、ＰＵＣＣＨとＰＵＳＣＨの信号と生成した上りリンク参照信号を送信アンテナポート毎にリソースエレメントに配置する。
【０１３４】
無線送信部２０３５は、多重された信号を逆高速フーリエ変換（Inverse Fast Fourier
Transform: IFFT）して、ＳＣ−ＦＤＭＡ方式の変調を行い、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換し、余分な周波数成分を除去し、アップコンバートにより搬送周波数に変換し、電力増幅し、送受信アンテナ２０６に出力して送信する。
【０１３５】
なお、端末装置２はＳＣ−ＦＤＭＡ方式に限らず、ＯＦＤＭＡ方式の変調を行うことができる。
【０１３６】
本発明に関わる装置で動作するプログラムは、本発明に関わる実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、一時的にＲａｎｄｏｍ  Ａｃｃｅｓｓ  Ｍｅｍｏｒｙ（ＲＡＭ）などの揮発性メモリあるいはフラッシュメモリなどの不揮発性メモリやＨａｒｄ  Ｄｉｓｋ  Ｄｒｉｖｅ（ＨＤＤ）、あるいはその他の記憶装置システムに格納される。
【０１３７】
尚、本発明に関わる実施形態の機能を実現するためのプログラムをコンピュータが読み取り可能な記録媒体に記録しても良い。この記録媒体に記録されたプログラムをコンピュータシステムに読み込ませ、実行することによって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体、短時間動的にプログラムを保持する媒体、あるいはコンピュータが読み取り可能なその他の記録媒体であっても良い。
【０１３８】
また、上述した実施形態に用いた装置の各機能ブロック、または諸特徴は、電気回路、たとえば、集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、従来型のプロセッサ、コントローラ、マイクロコントローラ、またはステートマシンであっても良い。前述した電気回路は、デジタル回路で構成されていてもよいし、アナログ回路で構成されていてもよい。また、半導体技術の進歩により現在の集積回路に代替する集積回路化の技術が出現した場合、本発明の一又は複数の態様は当該技術による新たな集積回路を用いることも可能である。
【０１３９】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０１４０】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０１４１】
本発明は、基地局装置、端末装置および通信方法に用いて好適である。
【符号の説明】
【０１４２】
１Ａ  基地局装置
２Ａ、２Ｂ  端末装置
１０１  上位層処理部
１０２  制御部
１０３  送信部
１０４  受信部
１０５  送受信アンテナ
１０１１  無線リソース制御部
１０１２  スケジューリング部
１０３１  符号化部
１０３２  変調部
１０３３  下りリンク参照信号生成部
１０３４  多重部
１０３５  無線送信部
１０４１  無線受信部
１０４２  多重分離部
１０４３  復調部
１０４４  復号部
２０１  上位層処理部
２０２  制御部
２０３  送信部
２０４  受信部
２０５  チャネル状態情報生成部
２０６  送受信アンテナ
２０１１  無線リソース制御部
２０１２  スケジューリング情報解釈部
２０３１  符号化部
２０３２  変調部
２０３３  上りリンク参照信号生成部
２０３４  多重部
２０３５  無線送信部
２０４１  無線受信部
２０４２  多重分離部
２０４３  信号検出部
３０１  ターボ符号化部
３０２−１、３０２−２、３０２−３、５０２  インターリーブ部
３０３、５０３  ビット選択部
５０１  ＬＤＰＣ符号化部
【図１】
2019165269.tif 000003
【図２】
2019165269.tif 000004
【図３】
2019165269.tif 000005
【図４】
2019165269.tif 000006
【図５】
2019165269.tif 000007
【図６】
2019165269.tif 000008
【図７】
2019165269.tif 000009
【図８】
2019165269.tif 000010
【図９】
2019165269.tif 000011
【図１０】
2019165269.tif 000012